(57)【要約】【課題】現在の時間情報とユーザに関する情報とを、視点を変えずに同時に視認する。【解決手段】リスト端末１０，携帯電話２０は、時計画像を表示するタッチ画面３２と、ユーザ情報を取得し、前記ユーザ情報に基づき、ユーザに関する複数種類の指標について段階的に算出し、時計画像を、前記ユーザに関する複数種類の指標に基づいた表示態様で、タッチ画面３２に表示させるＣＰＵ３０とを、備える。【選択図】図５
2014181913.tif 000002
【特許請求の範囲】
【請求項１】
時計画像を表示する表示手段と、
ユーザ情報を取得する取得手段と、
前記ユーザ情報に基づき、ユーザに関する複数種類の指標について段階的に算出する算出手段と、
前記時計画像を、前記ユーザに関する複数種類の指標に基づいた表示態様で、前記表示手段に表示させる制御手段と、
を備えることを特徴とする携帯端末。
【請求項２】
請求項１に記載の携帯端末において、
前記ユーザ情報がユーザの生年月日であることを特徴とする携帯端末。
【請求項３】
請求項１に記載の携帯端末において、
前記ユーザ情報がユーザのスケジュールであることを特徴とする携帯端末。
【請求項４】
請求項３に記載の携帯端末において、
ユーザの活動状態を検出する検出手段を備え、
前記算出手段が、前記ユーザ情報に加え、前記検出手段により検出されたユーザの活動状態に基づき、ユーザに関する複数種類の指標について段階的に算出することを特徴とする携帯端末。
【請求項５】
請求項１〜４のいずれか一項に記載の携帯端末において、
前記算出手段が、ユーザに関する指標についてその種類ごとに算出することを特徴とする携帯端末。
【請求項６】
時計画像を表示する表示手段を有するコンピュータに、
ユーザ情報を取得する取得機能と、
前記ユーザ情報に基づき、ユーザに関する複数種類の指標について段階的に算出する算出機能と、
前記時計画像を、前記ユーザに関する複数種類の指標に基づいた表示態様で、前記表示手段に表示させる制御機能と、
を実現させることを特徴とする時計画像表示処理プログラム。
【発明の詳細な説明】
【技術分野】
【０００１】
本発明は携帯端末および時計画像表示処理プログラムに関する。
【背景技術】
【０００２】
従来から、リスト端末や携帯電話などの携帯端末では、ディスプレイに表示される画像として、単なる時間情報（現在時刻など）のみならず、その他のユニークな要素も表示されるようになっている。
たとえば、特許文献１の技術では、携帯電話の表示画面において、ユーザの誕生日データと日付情報とに基づき、背景色と文字色とが選択され、表示される色をその日のラッキーカラーとするなど占い的な要素を持たせている（段落００２４〜００２８参照）。
もちろん近年では、ラッキーカラーといった単純な表示形態の枠組みを超えて、占い結果などのユーザに関する情報を、文字や記号、キャラクターなどを使用して直接的に表示することも一般的に行われている。
【先行技術文献】
【特許文献】
【０００３】
【特許文献１】特許第３８３７２７３号公報
【発明の概要】
【発明が解決しようとする課題】
【０００４】
しかしながら、これまでの携帯端末では、時間情報と占い結果などのユーザに関する情報とが別々に表示されており、ユーザにおいては、時間情報を認識するのと自己に関する情報を認識するのとで、それぞれ視点を変える必要があった。
本発明の課題は、現在の時間情報とユーザに関する情報とを、視点を変えずに同時に視認することができる携帯端末および時計画像表示処理プログラムを提供することである。
【課題を解決するための手段】
【０００５】
以上の課題を解決するため、本発明は、携帯端末において、
時計画像を表示する表示手段と、
ユーザ情報を取得する取得手段と、
前記ユーザ情報に基づき、ユーザに関する複数種類の指標について段階的に算出する算出手段と、
前記時計画像を、前記ユーザに関する複数種類の指標に基づいた表示態様で、前記表示手段に表示させる制御手段と、
を備えることを特徴とする。
【発明の効果】
【０００６】
本発明によれば、現在の時間情報とユーザに関する情報とを、視点を変えずに同時に視認することができる。
【図面の簡単な説明】
【０００７】
【図１】携帯端末の一例（リスト端末）の外観図である。
【図２】図１の表示態様の一例を示す外観図である。
【図３】図１の表示態様の他の例を示す外観図である。
【図４】携帯端末の他の例（携帯電話）の外観図である。
【図５】携帯端末の概略構成を示すブロック図である。
【図６】時計画像表示処理１の流れを示すフローチャートである。
【図７】時計画像設定処理１の流れを示すフローチャートである。
【図８】アナログ時計の長針の長さ（Ｌｌ）、長針の幅（Ｗｌ）、短針の幅（Ｗｓ）および短針の長さ（Ｌｓ）を決定する際の説明図である。
【図９】アナログ時計の長針と短針との態様例を示す図である。
【図１０】デジタル時計の文字の態様例を示す図である。
【図１１】時計画像表示処理２の流れを示すフローチャートである。
【図１２】金銭レベル情報算出処理の流れを示すフローチャートである。
【図１３】仕事レベル情報算出処理の流れを示すフローチャートである。
【図１４】健康レベル情報算出処理の流れを示すフローチャートである。
【図１５】時計画像設定処理２の流れを示すフローチャートである。
【発明を実施するための形態】
【０００８】
以下、添付図面を参照して本発明に係る実施の形態の一例を詳細に説明する。
ただし、発明の範囲は、図示例に限定されない。
【０００９】
［構成］
図１は本発明における携帯端末を適用したリスト端末１０の外観図である。
図２および図３はリスト端末１０の表示態様例を示す外観図である。
図４は本発明における携帯端末を適用した携帯電話２０の外観図である。
図５はリスト端末１０，携帯電話２０の概略構成を示すブロック図である。
【００１０】
図１〜図３に示すように、リスト端末１０は、たとえば腕時計状に形成されており、ユーザの手首に装着されるようになっている。リスト端末１０では、図２および図３に示すように、時計画像がアナログ時計調またはデジタル時計調のいずれの表示態様でも表示可能になっている。
図４に示すように、携帯電話２０は、たとえば平板状に形成されており、ユーザの衣服のポケットやカバンなどに収納されユーザと一緒に携帯されるようになっている。携帯電話２０でも、リスト端末１０と同様に、時計画像がアナログ時計調またはデジタル時計調のいずれの表示態様でも表示可能になっている。
これらリスト端末１０，携帯電話２０は互いに共通の制御構成を有しており、図５に示すように、ＣＰＵ３０、タッチ画面３２、位置センサ３４、加速度センサ３６、画像撮影部３８、メモリ４０、無線通信部４２、近距離通信部４４などを備えて構成されている。
【００１１】
タッチ画面３２はいわゆる静電式タッチパネルである。
タッチ画面３２は、文字などを入力するためキー群を表示し、押下されたキーの種類や位置に対応する信号をＣＰＵ３０に出力したり、ＣＰＵ３０から入力される表示信号に基づいて時計画像などの各種情報を表示するようになっている。
【００１２】
位置センサ３４はいわゆるＧＰＳセンサである。位置センサ３４は、ＣＰＵ３０の命令やユーザ操作などに応じてＯＮ（通電状態）に設定され、センシング動作を行うようになっている。
加速度センサ３６はリスト端末１０，携帯電話２０に加わる加速度を３軸方向の成分に分解して測定するセンサである。加速度センサ３６も、ＣＰＵ３０の命令やユーザ操作などに応じてＯＮ（通電状態）に設定され、センシング動作を行うようになっている。
【００１３】
画像撮影部３８はいわゆるカメラであり、被写体を撮影する部位である。
【００１４】
メモリ４０は、リスト端末１０，携帯電話２０の各種機能を実現するためのプログラムやデータを記憶するとともに、ＣＰＵ３０の作業領域として機能するメモリである。本実施の形態においては、メモリ４０は、時計画像表示処理プログラムなどを記憶しており、ユーザの生年月日やスケジュールなどのユーザ情報が入力されたときはこれがデータとして記憶され、ユーザにおける取引先との電話履歴／メール履歴や、位置センサ３４に基づく検出結果（以下「ＧＰＳ履歴」という。）などもデータとして記憶されるようになっている。
時計画像表示処理プログラムは、後述の時計画像表示処理１（図６〜図１０参照）および時計画像表示処理２（図１４〜図１５参照）をＣＰＵ３０に実行させるためのプログラムである。
【００１５】
無線通信部４２は、ネットサーバ５０との間での無線通信を行うようになっている。なお、無線通信の方式としては、Ｗｉ−Ｆｉ基地局６２（アクセスポイント）を経由してネットワーク６０と接続されるＷｉ−Ｆｉ通信などの無線ＬＡＮや、携帯基地局６４を経由してネットワーク６０と接続される携帯通信などを用いることができる。
本実施形態では、ネットサーバ５０は占いデータベースを有しており、その占いデータベースには生年月日ごとにその日の占い結果が記憶されている。
近距離通信部４４は近距離通信端末５２（パソコンやタブレット端末など）との間での無線通信を行うようになっている。なお、無線通信の方式としては、Bluetooth（登録商標）などを用いることができ、本実施の形態においてはBluetooth（登録商標）が用いられている。
【００１６】
ＣＰＵ３０は、リスト端末１０，携帯電話２０の各部を中央制御する。
具体的には、ＣＰＵ３０は、メモリ４０に記憶されているシステムプログラム及び各種アプリケーションプログラムの中から指定されたプログラムを展開し、展開されたプログラムとの協働で、各種処理を実行する。
【００１７】
［動作１］
＜時計画像表示処理１＞
続いて、リスト端末１０，携帯電話２０によって実行される時計画像表示処理１について、図面を参照しつつ説明する。
【００１８】
図６は時計画像表示処理１の流れを示すフローチャートである。
なお、時計画像表示処理１は、リスト端末１０，携帯電話２０が起動されると、メモリ４０から時計画像表示処理プログラムが読み出されて適宜展開される結果、当該時計画像表示処理プログラムとＣＰＵ３０との協働によって実行され、それに伴いネットサーバ５０も使用され、ネットサーバ５０においても一定の処理が実行される。
【００１９】
図６左欄に示すように、まずは、リスト端末１０，携帯電話２０において、ＣＰＵ３０は、ユーザ操作により生年月日が入力され、ネットサーバ５０にユーザの生年月日を新規登録するか否かを判定する（ステップＳＡ１）。
ユーザ操作により新規登録されると（ステップＳＡ１；ＹＥＳ）、ＣＰＵ３０は、ユーザ操作により入力された生年月日を取得し、これをユーザ情報としてメモリ４０に記憶させるとともにネットサーバ５０に送信する（ステップＳＡ２）。
「ユーザ情報」には、ユーザ操作により入力された生年月日のほか、ユーザ所有のリスト端末１０，携帯電話２０の端末ＩＤも含まれ、端末ＩＤにユーザの生年月日が対応付けられている。
【００２０】
図６右欄に示すように、ネットサーバ５０においては、ユーザ情報を受信して端末ＩＤとこれに対応するユーザの生年月日とを登録する（ステップＳＢ１）。
その後、ネットサーバ５０は時計情報を読み出し（ステップＳＢ２）、日付が変更されたか否かを判定する（ステップＳＢ３）。
日付が変更されると（ステップＳＢ３；ＹＥＳ）、ネットサーバ５０は、登録した端末ＩＤからユーザの生年月日を読み出し（ステップＳＢ４）、占いデータベースから、その読み出した生年月日に対応する、ユーザのその日の占い結果を決定する（ステップＳＢ５）。
その後、ネットサーバ５０は、決定した占い結果をリスト端末１０，携帯電話２０に送信する（ステップＳＢ６）。
【００２１】
その後、リスト端末１０，携帯電話２０において、ＣＰＵ３０は、ネットサーバ５０の占い結果を受信し、その占い結果に基づき、ユーザに関する複数種類の指標について段階的に算出する（ステップＳＡ３）。
ここでいう「指標」には、金運、仕事運、恋愛運などの評価や、各運勢を総合的に判断した全体運の評価が含まれ、いわゆる「吉」に導くための運勢の説明も付随している。ステップＳＡ３では、たとえば、金運、仕事運および恋愛運がそれぞれ「１」〜「５」の５段階で評価され、全体運も金運、仕事運および恋愛運の各評価に基づき「１」〜「５」の５段階で評価され、運勢の説明では文学的要素や社会科学的要素、アウトドア的要素、自然科学的要素などを含むアドバイスがなされる。
なお、ネットサーバ５０の占い結果中に、これら指標（金運、仕事運、恋愛運、全体運、運勢の説明など）が含まれ、ネットサーバ５０においてユーザに関する情報が複数種類の指標で段階的に算出され、リスト端末１０，携帯電話２０において、これを単に受信するようにしてもよい。
その後、ＣＰＵ３０は時計画像設定処理１に移行する（ステップＳＡ４）。
【００２２】
＜時計画像設定処理１＞
図７は時計画像設定処理１の流れを示すフローチャートである。
図７に示すように、ＣＰＵ３０は、運勢の説明が静的か動的かを判定する（ステップＳＣ１）。
ここでいう「静的」とは、運勢の説明が文学的要素や社会科学的要素などを含む意味であり、「動的」とは、運勢の説明がアウトドア的要素や自然科学的要素などを含む意味である。
【００２３】
運勢の説明が静的であるときは、ＣＰＵ３０は、リスト端末１０，携帯電話２０に表示する時計画像をアナログ時計調と設定する（ステップＳＣ２）。
その後、ＣＰＵ３０は、算出した金運、仕事運および恋愛運を読み出し、長針の長さ、長針の幅および短針の幅を決定し（ステップＳＣ３〜ＳＣ５）、決定した長針の長さから短針の長さも決定する（ステップＳＣ６）。
たとえば、金運、仕事運および恋愛運がそれぞれ５段階で評価され１〜５の値をとりうるとき、図８に示すように、長針の長さ（Ｌｌ）、長針の幅（Ｗｌ）、短針の幅（Ｗｓ）および短針の長さ（Ｌｓ）は、たとえば、タッチ画面３２の高さ（ｈ）が基準とされ、金運（Vmoney）、仕事運（Vwork）および恋愛運（Vlove）に基づき、ＣＰＵ３０の下記計算式にしたがう算出処理により決定される。
長針の長さ（Ｌｌ）＝h＊0.0625＊(Vmoney-1)＋h＊0.25
長針の幅（Ｗｌ）＝h＊0.125＊(Vwork-1)＋h＊0.05
短針の幅（Ｗｓ）＝h＊0.1＊(Vlove-1)＋h＊0.05
短針の長さ（Ｌｓ）＝長針の長さ（Ｌｌ）＊0.75
その結果、図９に示すような、アナログ時計の長針と短針との態様が決定される。なお、図９では、金運（Vmoney）、仕事運（Vwork）および恋愛運（Vlove）がそれぞれ５：５：５、４：４：１、３：３：３、５：５：２、１：１：１である場合を示している。
【００２４】
他方、運勢の説明が動的であるときは、ＣＰＵ３０は、リスト端末１０，携帯電話２０に表示する時計画像をデジタル時計調と設定する（ステップＳＣ７）。
その後、ＣＰＵ３０は、算出した金運、仕事運および恋愛運を読み出し、文字の高さ、文字全体の幅および文字の太さを決定する（ステップＳＣ８〜ＳＣ１０）。
たとえば、上記と同様に、金運、仕事運および恋愛運がそれぞれ５段階で評価され１〜５の値をとりうるとき、文字の高さ、文字全体の幅および文字の太さも、タッチ画面３２の高さ（ｈ）が基準とされ、金運（Vmoney）、仕事運（Vwork）および恋愛運（Vlove）に基づき、ＣＰＵ３０の下記計算式にしたがう算出処理により決定される。
文字の高さ＝h＊0.225＊(Vmoney-1)＋h＊0.1
文字全体の幅＝h＊0.125＊(Vwork-1)＋h＊0.5
文字の太さ＝h＊0.075＊(Vlove-1)＋h＊0.05
その結果、図１０に示すような、デジタル時計の文字の態様が決定される。
図１０に示すように、デジタル時計の文字の態様は、金運（Vmoney）、仕事運（Vwork）および恋愛運（Vlove）の各評価に基づき異なってくる。
【００２５】
ステップＳＣ６，ＳＣ１０の後、ＣＰＵ３０は、算出した全体運を読み出し、アナログ時計の長針／短針またはデジタル時計の文字の透過率を決定する（ステップＳＣ１１）。
たとえば、全体運が金運、仕事運および恋愛運の各評価に基づき５段階で評価され１〜５の値をとりうる場合、ＣＰＵ３０は、全体運（Vall）の５段階の値に応じて透過率を０％、２０％、４０％、６０％、８０％などと決定する。
その後、ＣＰＵ３０は、全体運に対応するラッキーアイテム画像をネットサーバ５０からダウンロードしてこれを壁紙とする旨設定し（ステップＳＣ１２）、時計画像表示処理１に復帰する。
ラッキーアイテム画像はメモリ４０にあらかじめ記憶され、ＣＰＵ３０が、全体運に対応するラッキーアイテム画像をメモリ４０から読み出し、これを壁紙とする旨設定してもよい。
【００２６】
＜時計画像表示処理１（続き）＞
図６に示すように、ＣＰＵ３０は、時計画像設定処理１において決定・設定した表示態様で時計画像を作成し、これをリスト端末１０，携帯電話２０のタッチ画面３２に表示させる（ステップＳＡ５、図１〜図４参照）。図１〜図４では、ラッキーアイテム画像（壁紙）としてペンギンが表示されている。
その後、ＣＰＵ３０は、日付が変更されたか否か、ユーザ操作により時計画像表示処理１が終了されたか否かをそれぞれ判定し（ステップＳＡ６，ＳＡ７）、日付が変更されたり、ユーザ操作により時計画像表示処理１が終了されたりするまで、その時計画像を継続してタッチ画面３２に表示させる。
【００２７】
［動作２］
＜時計画像表示処理２＞
続いて、リスト端末１０，携帯電話２０によって実行される時計画像表示処理２について、図面を参照しつつ説明する。
【００２８】
図１１は時計画像表示処理２の流れを示すフローチャートである。
なお、時計画像表示処理２も、リスト端末１０，携帯電話２０が起動されると、メモリ４０から時計画像表示処理プログラムが読み出されて適宜展開される結果、当該時計画像表示処理プログラムとＣＰＵ３０との協働によって実行される。本時計画像表示処理２が時計画像表示処理１と異なるのは、主に、処理の実行がリスト端末１０，携帯電話２０でのみ行われ、ネットサーバ５０が使用されない点である。
【００２９】
図１１に示すように、まずは、リスト端末１０，携帯電話２０において、ＣＰＵ３０は、ユーザ操作によりスケジュールが入力され、ユーザのスケジュールが新規設定されたか否かを判定する（ステップＴＡ１）。
ユーザのスケジュールが新規設定されたとき（ステップＴＡ１；ＹＥＳ）、ＣＰＵ３０は、ユーザ操作により入力されたスケジュールを取得し、これをユーザ情報としてメモリ４０に記憶させる（ステップＴＡ２）。
その後、ＣＰＵ３０は、金銭レベル情報算出処理、仕事レベル情報算出処理および健康レベル情報算出処理に順次移行し、複数種類の指標として、金銭レベル（浪費度）、仕事レベル（達成度）および健康レベル（体調管理度）を使用し、ユーザに関する複数種類の指標について段階的に算出する（ステップＴＡ３〜ＴＡ５）。
【００３０】
＜金銭レベル情報算出処理＞
図１２に示すように、ＣＰＵ３０は、先月のＧＰＳ履歴から先月の残業時間を算出し（ステップＴＢ１）、算出した先月の残業時間から今月の給与を算出する（ステップＴＢ２）。
その後、ＣＰＵ３０は、新規設定したユーザのスケジュールの今月の予定と、今月初めから現在までのＧＰＳ履歴に基づく飲み会やデートなどの回数とから、今月の出費を概算し（ステップＴＢ３）、算出した今月の給与に対し今月の初日から現在までの出費と今月予想される残りの出費とがどの程度であるか（浪費度）を、現在の金銭レベルとして「１」〜「５」の５段階で算出する（ステップＴＢ４）。
【００３１】
＜仕事レベル情報算出処理＞
図１３に示すように、ＣＰＵ３０は、新規設定したユーザのスケジュールの今週（本日を含めたその前後の３日間）の予定から今週の仕事量を算出する（ステップＴＣ１）。
その後、ＣＰＵ３０は、新規設定したユーザのスケジュールの今週の予定と、今週初日から現在までのＧＰＳ履歴に基づく外出などの回数や取引先との電話履歴／メール履歴とから、今週の仕事実績を算出し（ステップＴＣ２）、算出した今週の仕事量に対し今週の初日から現在までの処理済みの仕事がどの程度であるか（達成度）を、現在の仕事レベルとして「１」〜「５」の５段階で算出する（ステップＴＣ３）。
【００３２】
＜健康レベル情報算出処理＞
図１４に示すように、ＣＰＵ３０は、新規設定したユーザのスケジュールの過去１週間分の予定と、過去１週間のうちの初日から現在までのＧＰＳ履歴に基づくジョギング／スポーツジムなどの回数から、過去１週間分の予定に対しその週の初日から現在までの運動量（カロリー消費量）がどの程度であるか（減量効果）を、算出する（ステップＴＤ１）。
その後、ＣＰＵ３０は、新規設定したユーザのスケジュールの過去１週間分の予定と、過去１週間のうちの初日から現在までのＧＰＳ履歴に基づく飲み会などの回数から、過去１週間分の予定に対しその週の初日から現在までのカロリー摂取量がどの程度であるか（体重増効果）を、算出する（ステップＴＤ２）。
その後、ＣＰＵ３０は、算出した減量効果と体重増効果とから、カロリー消費量に対しカロリー摂取量がどの程度であるか（体調管理度）を、現在の健康レベルとして「１」〜「５」の５段階で算出する（ステップＴＤ３）。
【００３３】
＜時計画像設定処理２＞
図１５は時計画像設定処理２の流れを示すフローチャートである。
図１５に示すように、ＣＰＵ３０は、新規設定したスケジュールが静的か動的かを判定する（ステップＴＥ１）。
ここでいう「静的」とは、一定の基準に対し外出回数が多く自宅や会社などに滞在する時間が短い場合をいい、「動的」とは、一定の基準に対し外出回数が少なく自宅や会社などに滞在する時間が長い場合をいう。
【００３４】
新規設定したスケジュールが静的であるときは、ＣＰＵ３０は、リスト端末１０，携帯電話２０に表示する時計画像をアナログ時計調と設定する（ステップＴＥ２）。
その後、ＣＰＵ３０は、算出した金銭レベル、仕事レベルおよび健康レベルから、長針の長さ、長針の幅および短針の幅を決定し（ステップＴＥ３〜ＴＥ５）、決定した長針の長さから短針の長さも決定する（ステップＴＥ６）。
たとえば、ＣＰＵ３０は、算出した金銭レベル、仕事レベルおよび健康レベルの段階を１〜５の値に対応させ、図７のステップＳＣ３〜ＳＣ６と同様の処理により、これらを決定する。
【００３５】
他方、新規設定したスケジュールが動的であるときは、ＣＰＵ３０は、リスト端末１０，携帯電話２０に表示する時計画像をデジタル時計調と設定する（ステップＴＥ７）。
その後、ＣＰＵ３０は、算出した金銭レベル、仕事レベルおよび健康レベルから、文字の高さ、文字全体の幅および文字の太さを決定する（ステップＴＥ８〜ＴＥ１０）。
かかる場合も、たとえば、ＣＰＵ３０は、算出した金銭レベル、仕事レベルおよび健康レベルの段階を１〜５の値に対応させ、図７のステップＳＣ８〜ＳＣ１０と同様の処理により、これらを決定する。
【００３６】
ステップＴＥ６，ＴＥ１０の後、ＣＰＵ３０は、算出した金銭レベル、仕事レベルおよび健康レベルから全体レベルを算出し、アナログ時計の長針／短針またはデジタル時計の文字の透過率を決定する（ステップＴＥ１１）。
たとえば、算出した全体レベルが金銭レベル、仕事レベルおよび健康レベルの各評価に基づき５段階で評価され１〜５の値をとりうる場合、ＣＰＵ３０は、全体レベル（Vall）の５段階の値に応じて透過率を０％、２０％、４０％、６０％、８０％などと決定する。
その後、ＣＰＵ３０は、全体レベルに対応する画像をネットサーバ５０からダウンロードしてこれを壁紙とする旨設定し（ステップＴＥ１２）、時計画像表示処理２に復帰する。
全体レベルに対応する画像はメモリ４０にあらかじめ記憶され、ＣＰＵ３０が、全体レベルに対応する画像をメモリ４０から読み出し、これを壁紙とする旨設定してもよい。
【００３７】
＜時計画像表示処理２（続き）＞
図１１に示すように、ＣＰＵ３０は、時計画像設定処理２において決定・設定した表示態様で時計画像を作成し、これをリスト端末１０，携帯電話２０のタッチ画面３２に表示させる（ステップＴＡ７、図１〜図４参照）。
その後、ＣＰＵ３０は、日付が変更されたか否か、ユーザ操作により時計画像表示処理１が終了されたか否かをそれぞれ判定し（ステップＴＡ８，ＴＡ９）、日付が変更されたり、ユーザ操作により時計画像表示処理１が終了されたりするまで、その時計画像を継続してタッチ画面３２に表示させる。
【００３８】
以上の本実施の形態によれば、図６のステップＳＡ３〜ＳＡ５や図１１のステップＴＡ３〜ＴＡ７などに示したように、ユーザに関する情報が、ユーザの生年月日やスケジュールに基づき、金運／仕事運／恋愛運／全体運（動作１参照）や金銭レベル／仕事レベル／健康レベル／全体レベル（動作２参照）で段階的に算出され、これがアナログ時計の長針または短針やデジタル時計の文字、これらの透過率などにそのまま直接的に反映されるため、ユーザは、現在の時間情報（現在時刻）を視認する際に、自己に関する情報も、視点を変えずに同時に視認することができる。
【００３９】
また、図１２のステップＴＢ１〜ＴＢ４や図１３のステップＴＣ１〜ＴＣ３、図１４のステップＴＤ１〜ＴＤ３などに示したように、ＧＰＳ履歴からユーザの活動状態が把握されたうえで、ユーザに関する情報が、金銭レベル／仕事レベル／健康レベル／全体レベル（動作２）で段階的に算出されるため、ユーザは、架空的な情報ではなく、自分自身の現実的な活動状態に基づく情報を視認することができる。
【００４０】
なお、上記の実施の形態におけるリスト端末１０，携帯電話２０の各構成要素の細部構成及び細部動作に関しては、本発明の趣旨を逸脱しない範囲で適宜変更可能であることは勿論である。
【００４１】
たとえば、ユーザ情報として、生年月日やスケジュールに代えてまたは加えて、性別や氏名、生い立ち、出身校、勤務先など、ユーザに関するあらゆる情報が対象とされてもよい。
ユーザに関する情報を示す指標としても、金運／仕事運／恋愛運／全体運や金銭レベル／仕事レベル／健康レベル／全体レベルに代えてまたは加えて、願望／交渉／縁談／待人／出産／商売／相場／学問／学業／受験／技芸／転居／旅行／争事など、考えられうるあらゆるものが使用されてもよい。
時計画像の表示態様としても、時計のパーツ（長針や短針、デジタル文字）に代えてまたは加えて、形状や模様、色彩など、考えられうるあらゆるものが使用されてもよい。
【００４２】
以上、本発明のいくつかの実施形態を説明したが、本発明の範囲は、上述の実施の形態に限定するものではなく、特許請求の範囲に記載された発明の範囲とその均等の範囲を含む
【００４３】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
時計画像を表示する表示手段と、
ユーザ情報を取得する取得手段と、
前記ユーザ情報に基づき、ユーザに関する複数種類の指標について段階的に算出する算出手段と、
前記時計画像を、前記ユーザに関する複数種類の指標に基づいた表示態様で、前記表示手段に表示させる制御手段と、
を備えることを特徴とする携帯端末。
＜請求項２＞
請求項１に記載の携帯端末において、
前記ユーザ情報がユーザの生年月日であることを特徴とする携帯端末。
＜請求項３＞
請求項１に記載の携帯端末において、
前記ユーザ情報がユーザのスケジュールであることを特徴とする携帯端末。
＜請求項４＞
請求項３に記載の携帯端末において、
ユーザの活動状態を検出する検出手段を備え、
前記算出手段が、前記ユーザ情報に加え、前記検出手段により検出されたユーザの活動状態に基づき、ユーザに関する複数種類の指標について段階的に算出することを特徴とする携帯端末。
＜請求項５＞
請求項１〜４のいずれか一項に記載の携帯端末において、
前記算出手段が、ユーザに関する指標についてその種類ごとに算出することを特徴とする携帯端末。
＜請求項６＞
時計画像を表示する表示手段を有するコンピュータに、
ユーザ情報を取得する取得機能と、
前記ユーザ情報に基づき、ユーザに関する複数種類の指標について段階的に算出する算出機能と、
前記時計画像を、前記ユーザに関する複数種類の指標に基づいた表示態様で、前記表示手段に表示させる制御機能と、
を実現させることを特徴とする時計画像表示処理プログラム。
【符号の説明】
【００４４】
１０  リスト端末
２０  携帯電話
３０  ＣＰＵ
３２  タッチ画面
３４  位置センサ
３６  加速度センサ
３８  画像撮影部
４０  メモリ
４２  無線通信部
４４  近距離通信部
５０  ネットサーバ
５２  近距離通信端末
６０  ネットワーク
６２  Ｗｉ−Ｆｉ基地局
６４  携帯基地局
【図１】
2014181913.tif 000003
【図２】
2014181913.tif 000004
【図３】
2014181913.tif 000005
【図４】
2014181913.tif 000006
【図５】
2014181913.tif 000007
【図６】
2014181913.tif 000008
【図７】
2014181913.tif 000009
【図８】
2014181913.tif 000010
【図９】
2014181913.tif 000011
【図１０】
2014181913.tif 000012
【図１１】
2014181913.tif 000013
【図１２】
2014181913.tif 000014
【図１３】
2014181913.tif 000015
【図１４】
2014181913.tif 000016
【図１５】
2014181913.tif 000017